(57)【特許請求の範囲】
【請求項１】
海中から取揚げたマグロの体内の内蔵を除去し、そのマグロを低温の水槽に浸漬し、さらに内蔵を取り出した魚体の空洞に、ポンプによって水流を噴射しながらマグロを冷凍しない低温まで冷却を行うマグロの冷却装置であって、
水槽内にマグロを逆さに吊り下げる吊り下げ装置と、その吊り下げ装置に連結されて吊り下げ装置の昇降と共に水槽内の槽底から槽面の間を昇降する水槽内バーとを備え、
前記水槽内バーは、吊り下げ装置に吊り下げられたマグロに水槽内の水を噴射するポンプ、ポンプからの水をマグロの魚体の空洞に導入するホース、マグロの頭部を保持して魚体の浮き上がり及び横揺れを防止する保持具とを一体具備したことを特徴とするマグロの冷却装置。
【請求項２】
水槽内の冷水は一定方向に循環しながら冷却される構成とした請求項１記載のマグロの冷却装置。
【発明の詳細な説明】
【技術分野】
【０００１】
本発明は、養殖マグロを解体処理した後に、素早く冷却して、生鮮マグロとして出荷するマグロの冷却装置に関する。
【背景技術】
【０００２】
従来より、マグロ 、カツオ等の大型魚類は、大半がいわゆる遠洋漁業で漁獲されている。そして、海洋、特に遠洋で漁獲したこれらマグロは、漁獲した船上で内臓を除去した後、丸ごと(１本)−５０〜−６０℃に冷凍し、漁業基地から冷凍魚体として水揚げして流通されている。
船上での処理は、マグロがバタバタと暴れるのを防ぐため、まず尾を切り落とし、次にエラを切って血を抜き、頭を刺して体温が上昇しないように締処理をする。そして、内臓をとり、水でよく洗い、目方を量り、血抜きのため頭を下にしてフックに掛けて、そしてマイナス６０度の冷凍庫に入れて保管する。海から船上に揚げられたマグロは、暴れ回ると、体温が上昇し、身が焼けて黒くなるいわゆる身ヤケを起こしてしまう。そのため、船上でどれだけ早く処理するかが非常に重要である。
このようなマグロの延縄漁法として特開平１０−４２７５９号公報記載の技術が知られている。
【特許文献１】特開平１０−４２７５９号公報
【発明の開示】
【発明が解決しようとする課題】
【０００３】
近年では、稚魚から養殖を行う「育てる漁業」といわれ、南西諸島や海外で、黒マグロの養殖や蓄養が進められている。
こマグロの養殖は、網いけすで、曳き釣りで獲った２００〜４００ｇほどの稚魚を供給し、種苗として生産するものである。
そして、このような養殖マグロは、冷凍させずに、冷蔵した生鮮マグロの状態で消費地へ提供されている。
冷凍マグロは、肉質が落ちたり、或いは微妙に変化する等の問題があるため、生鮮マグロのほうが冷凍マグロより品質が高いものと評価されている。このような、活魚状態の生鮮魚体は、冷凍後に解凍した刺身より高鮮度で美味であるうえ、その価値が高いことは、「刺身の食文化」を持つ日本人であればよく知るところである。
ところで、生産者である漁師も卸売り業者や小売り業者等の流通業者も、料理屋や鮨屋の調理人も、マグロの身肉の鮮度について、活き造りのような高鮮度のものを安定して入手することは非常に困難となっている。
【０００４】
本発明は、かかる従来の問題点を解決するためになされたものであって、その目的とするところは、海中から取揚げた直後のマグロの内蔵を除去し、そのマグロを冷水槽に浸漬し、さらに内蔵を取り出した魚体の空洞に、ポンプによって水流を噴射しながら冷却を行い、生鮮マグロとして出荷するマグロの冷却装置を提供することにある。
【課題を解決するための手段】
【０００５】
前記目的を達成するための手段として、請求項１記載のマグロの冷却装置では、海中から取揚げたマグロの体内の内蔵を除去し、そのマグロを低温の水槽に浸漬し、さらに内蔵を取り出した魚体の空洞に、ポンプによって水流を噴射しながらマグロを冷凍しない低温まで冷却を行うマグロの冷却装置であって、水槽内にマグロを逆さに吊り下げる吊り下げ装置と、その吊り下げ装置に連結されて吊り下げ装置の昇降と共に水槽内の槽底から槽面の間を昇降する水槽内バーとを備え、前記水槽内バーは、吊り下げ装置に吊り下げられたマグロに水槽内の水を噴射するポンプ、ポンプからの水をマグロの魚体の空洞に導入するホース、マグロの頭部を保持して魚体の浮き上がり及び横揺れを防止する保持具とを一体具備した。
【０００６】
請求項２記載のマグロの冷却装置では、請求項１記載のマグロの冷却装置において、水槽内の冷水は一定方向に循環しながら冷却される構成とした。
【発明の効果】
【０００７】
本発明のマグロの冷却装置においては、海中から取揚げた直後のマグロの内蔵を除去し、そのマグロを冷水槽に浸漬する方法としたので、冷水によってマグロが効率的に冷却される。
また、内蔵を取り出した魚体の空洞に、ポンプによって水流を噴射するので、冷えにくい内部にも冷却水が対流して、新鮮マグロを外側と内側から同時に冷却させて肉の鮮度を維持する。
そして、このような方法を採用することにより、凍結マグロより品質の高い生鮮マグロとして市場に提供することが可能となる。
【０００８】
水槽内でマグロを逆さに吊るので、血抜きを同士に行いながら冷却することができる。
また、マグロの頭部から尾部方向へ水を上に噴射するので、魚体の空洞に沿って水流を通過させて冷却が行われる。そして、槽底に留まる冷水を上へ循環させて均一に冷却できる。
【０００９】
冷水を貯留する水槽と、その水槽内にマグロを逆さに吊り下げる吊り下げ装置と、水槽内の水を噴射するポンプと、ポンプからの水をマグロの魚体の空洞に導入するホースとを備えているので、これらの装置によって、効率よくマグロ全体を冷却することができる。
【００１０】
マグロの浮遊を防止するマグロの保持手段を設けたので、水槽内で逆さ吊りの状態で整然としてマグロを管理できる。
【発明を実施するための最良の形態】
【００１１】
以下、本発明を実施するための最良の形態を説明する。
【実施例１】
【００１２】
本発明のマグロの冷却装置は図１〜図７に示すように、冷水を貯留する水槽１と、その水槽１内の端に備えられた冷却装置２と、水槽内へマグロ３を吊り下げるバー４と、その吊り下げバー４を昇降させるクレーンと、水槽内のマグロ３に水流を噴射するポンプ５及びホース６と、それらポンプ５及びホース６を装着する水槽内バー７と、その水槽内バー７に備えられてマグロの浮遊を防止する保持具８を主要な構成としている。
【００１３】
前記水槽１は長さ１０ｍ、幅４ｍ、深さ２ｍの８０トン程度の冷水を貯留するプール状の水槽であり、マグロを７尾吊り下げたバー４を、１５列を収容する大きさを有し、全体では  ７（尾）×１５（列）＝１０５（尾）のマグロを収容できる大きさとなっている。
この水槽１の大きさは、マグロの処理能力に応じて適宜設定することができるが、本実施例では、同一の形状の水槽が２連並列して設けられている。
【００１４】
水槽の端にはチラーと呼ばれる冷却フィン２が配置され、冷媒ガスを循環させる冷却装置によって冷却され、この冷却フィン２が水と接触して水槽内の水を冷却する。そして、冷水の温度は、塩分を混入して凍結温度を低下させて、−３℃に設定されている。
水槽内の冷却フィン２の反対側（図２右端）には、オバーフローによる隔壁９が設置されている。この隔壁９面には１５カ所程度の小さな開孔９ａが形成され、水槽の水が隔壁９の開孔９ａを通過して排出され、その排出された水が、左右２台のポンプ１０によって、冷却フィン２の下側に送り戻され、そこで再び冷却されて中央へ送り出される。したがって、水槽内の冷水はチラーから隔壁９の方向へ流れながら、再び戻されて冷却され、水温が一定に維持されるようになっている。
水槽には図２に示すように、隔壁によって水位差が形成され、この水位差によってチラーからの冷水が循環する。
【００１５】
吊り下げバー４は直状の角形鋼材であり、水槽幅（４ｍ）よりわずかに長く、両端が水槽の両幅の上端に掛止して、マグロ３を水槽内に吊り下げるようになっている。
この吊り下げバー４の下側には所定間隔でマグロを吊り下げるフック１１が７個配置され、７尾のマグロがフック１１にロープを掛けて尾を結束して吊り下げられる。
吊り下げバー４の上側には中央と両端にクレーンロープ１３を掛けるフック１２が配置され、ロープ１３を介してクレーンによって昇降される。
【００１６】
水槽内バー７は、ポンプ５及び保持具８を備えて、水槽の底でマグロを保持する丸形鋼材であり、水槽の横幅より短く、水槽の側面に形成されたガイド７ａに沿って、水槽内を上下するようになっている。
このガイド７ａは図６に示すように、水槽１の側面にコの字状部材が左右に備えられ、このコの字のレールに沿って水槽内バー７が上下する。
この水槽内バー７は、マグロの冷却時には槽底に配置され、水槽の横方向へ掛け渡され、両端はガイド７ａに支持されて横揺れは防止されている。
この水槽内バー７は、吊り下げバー４の直下に平行して配置され、吊り下げバー４にチェイン１４で連結されている。したがって、吊り下げバー４の昇降に連動して、水槽内バー７も昇降する。
なお、水槽内バー７は槽底から槽面付近までを移動し、水槽面へ上昇させて、チェイン１４によって吊り下げバーに連結する。
【００１７】
水槽内バー７は内部が筒状に形成され、その中央部分にポンプ５を各１個備え、そのポンプ５から水槽内の冷水を吸引して、水槽内バー７の筒状部へ圧力を掛けて送出するようになっている。
水槽内バー７の長さ方向には所定間隔で各マグロ１に対応できるように、７本の噴射口１５が配置され、ポンプ５からの圧力水は水槽内バー７の筒状部を通過して、各噴射口１５から噴射される。
この噴射口１５にはホース６が接続されて、水流をマグロの口へ導き、マグロの口から上へ噴射するようになっている。
このマグロは養殖マグロを海中から取揚げ、素早く、内蔵を取り出して、血抜き処理を行ったものであり、魚体内部に空洞が形成されている。水流がこの空洞部分に噴射されて、冷水が対流し、内部から冷却されることになる。
マグロを冷水に浸漬するだけでは、魚体の空洞部分の温度が外に比較して高くなるので、この部分に冷水を噴射することにより、外の温度と同一に冷却されて、内側から効率よく冷却が行われる。
【００１８】
水槽内に浸漬されたマグロ３の魚体は、浮力または水流によって水中で浮遊するが、水槽内バー７にはそれを防ぐ保持具８が備えられている。すなわち、水槽内バー７の側面には水平方向へ半楕円形のビニールパイプが突設されている。この保持具８はマグロの数に応じて７本配置され、この楕円形の内部にマグロの頭部を挿入すると、マグロの浮き上がり及び横揺れが防止される（図７参照）。
【００１９】
次に本発明の作用を説明する。
養殖マグロをいけすから取揚げ、素早く処理して内蔵を取り出し、血抜きを行う。これらの作業は取揚げた後、数十秒で行い、これらの処理をいかに素早く行うかによって、マグロの商品価値が左右される。
内蔵を除去した後のマグロは吊り下げバー４のフック１１に、ロープで尾部を結束して吊り下げる。一本の吊り下げバーには７尾を吊り下げる。
７尾がそろった状態で、クレーンを作動させて水槽１へ移動する。水槽１では、水槽内バー７が水面で待機しており、両端のチェイン１４を連結し、マグロの口にそれぞれホース６の先端を装着する。このとき、ドーナツ状のゴム１６をマグロに噛ませ、そのゴム１６の中心にホース６を固定する。このドーナツ状のゴム１６を噛ませることにより、ホース６がマグロの口から抜け落ちる事を防止する。
また、水槽内バー７の保持具８にマグロ３の頭部を挿入してマグロを固定する。
吊り下げバー４に水槽内バー７を連結し、ホース６及び保持具８にマグロを固定した後は、クレーンを下降させると、吊り下げバー５、水槽内バー７とともにマグロが水中へ沈む。
水中ではポンプ５を作動させて、噴射口１５からホース６を経由してマグロの魚体へ水流を噴射する。
マグロの内蔵を除去した空洞に冷水が対流して内部から冷却される。冷水は腹の切削部あるいは、肛門から上方へ抜ける。
【００２０】
２４時間程度マグロを水槽１に浸漬すると、魚体が０℃まで完全に冷却される。冷却した後は、吊り下げバー４をクレーンで上昇させ、水面に水槽内バー７が露出するまで上昇させ、マグロ３からホース６を外し、チェイン１４を切り離す。
７尾を吊り下げた状態で、クレーンを移動させて、出荷処理場へ移動する。
出荷処理場では、吊り下げられたマグロを取り外し、氷詰めにして梱包出荷する。
本発明では、魚体内部の空洞に冷水を噴射して冷却するので、魚体の芯まで完全に冷却でき、冷却時間が短縮されて身ヤケ防止に有効である。また、冷却した後は、氷詰めにされると、冷却温度が長時間維持される。そして、マグロを冷凍しないので、生鮮肉として高い品質の状態で出荷が可能となる。
【００２１】
以上、本発明の実施例を説明したが、本発明の具体的な構成は前記実施例に限定されるものではなく、発明の要旨を逸脱しない範囲の設計変更等があっても本発明に含まれる。
例えば、前記実施例ではマグロに冷水を噴射する方法としたが、ポンプからエアを噴射してホース６からエアレーションによって冷水を対流させることも可能である。
【図面の簡単な説明】
【００２２】
【図１】マグロを水槽へ浸漬した状態を示す概略説明図である。
【図２】水槽の側面図である。
【図３】水槽の平面図である。
【図４】吊り下げバーにマグロを吊り下げた状態を示す説明図である。
【図５】水槽内バーの説明図である。
【図６】ガイド部分の斜視図である。
【図７】マグロの保持状態を示す説明図である。
【符号の説明】
【００２３】
１  水槽
２  冷却フィン
３  マグロ
４  吊り下げバー
５  ポンプ
６  ホース
７  水槽内バー
７ａ  ガイド
８  保持具
９  隔壁
９ａ  開孔
１０  ポンプ
１１  フック
１２  フック
１３  ロープ
１４  チェイン
１５  噴出口
１６  ドーナツ状のゴム
【図１】
0004713086.tif 000002
【図２】
0004713086.tif 000003
【図３】
0004713086.tif 000004
【図４】
0004713086.tif 000005
【図５】
0004713086.tif 000006
【図６】
0004713086.tif 000007
【図７】
0004713086.tif 000008